【手続補正書】
【提出日】平成22年6月24日(2010.6.24)
【手続補正１】
【補正対象書類名】特許請求の範囲
【補正対象項目名】全文
【補正方法】変更
【補正の内容】
【特許請求の範囲】
【請求項１】
一対の管要素の端部を一緒に端部と端部とで固定するための管継ぎ手であって、
該管継ぎ手は、
前記管要素を受け入れるための中央空間を囲み、端部と端部とで連結可能な複数のセグメントであって、該セグメントは、間隔をおいた一対の弓形面を有し、前記弓形面は、前記中央空間に面し、前記管要素と係合可能であるセグメントと、
各前記セグメントの両端に位置し、前記セグメントを互いに調節可能に連結するための複数の連結部材であって、前記セグメントを互いに引き寄せて前記管要素と係合させるために、調節できるように締付け可能な連結部材と、
少なくとも２つの前記連結部材に配置され、互いに面する複数の反応面であって、前記中央空間に面する反応面と、
２つの前記セグメントの間に位置する把持体であって、前記中央空間に面し、且つ間隔をおいた一対の把持面を有する把持体と、
前記把持体に配置され、前記反応面と面する第１の対の接触面と、
を備え、
前記連結部材の調節可能な締付けにより、前記セグメントが一緒に前記中央空間に向かって引き寄せられ、
前記接触面は、前記把持面を前記管継ぎ手に係合させるために、前記中央空間に向かって引き寄せられる前記セグメント上の前記反応面と相互作用して前記把持体を前記中央空間に移動させる管継ぎ手。
【請求項２】
請求項１に記載の管継ぎ手において、前記連結部材は、前記セグメントの端から外側へ延びる一対の突出部を有し、前記突出部は、前記セグメントを互いに調節可能に連結するための固定具を受け入れるように構成され、前記固定具は、前記セグメントの前記弓形面を引き寄せて前記管要素に係合させるために、調節できるように締付け可能である管継ぎ手。
【請求項３】
請求項２に記載の管継ぎ手において、前記反応面は、前記突出部に対して所定の角度をもって配向される管継ぎ手。
【請求項４】
請求項３に記載の管継ぎ手において、前記反応面は、３０度〜６０度の角度をもって配向される管継ぎ手。
【請求項５】
請求項３に記載の管継ぎ手において、前記反応面は、約４５度の角度をもって配向される管継ぎ手。
【請求項６】
請求項３に記載の管継ぎ手において、前記接触面は、凸形状を有する管継ぎ手。
【請求項７】
請求項３に記載の管継ぎ手において、前記接触面は、前記突出部に対して所定の角度をもって配向される管継ぎ手。
【請求項８】
請求項７に記載の管継ぎ手において、前記接触面は、３０度〜６０度の角度をもって配向される管継ぎ手。
【請求項９】
請求項７に記載の管継ぎ手において、前記接触面は、約４５度の角度をもって配向される管継ぎ手。
【請求項１０】
請求項７に記載の管継ぎ手において、前記接触面は、凸形状を有する管継ぎ手。
【請求項１１】
請求項１に記載の管継ぎ手において、前記接触面は、前記中央空間から半径方向外向き
に突出する管継ぎ手。
【請求項１２】
請求項１に記載の管継ぎ手において、前記管継ぎ手は、第２の対の接触面を更に備え、前記第１及び第２の対の接触面は、前記把持体の両端に位置する管継ぎ手。
【請求項１３】
請求項１に記載の管継ぎ手において、前記管継ぎ手は、前記セグメントの間に挟持されて前記弓形面の間に位置するシール部材を更に備え、前記シール部材は、内側に面するシール面を有し、該シール面は、前記管要素の間に流体密封の結合を形成するために前記管要素と係合可能である管継ぎ手。
【請求項１４】
一対の管要素の端部を一緒に端部と端部とで固定するための管継ぎ手であって、
該管継ぎ手は、
前記管要素を受け入れるための中央空間を囲み、端部と端部とで連結可能な一対のセグメントであって、各前記セグメントは、間隔をおいた一対の弓形面を有し、前記弓形面は、前記中央空間に面し、前記管要素と係合可能であるセグメントと、
各前記セグメントの各端に配置され、前記セグメントを互いに調節可能に連結するための連結部材であって、前記セグメントを互いに引き寄せて前記管要素と係合させるために、調節できるように締付け可能な連結部材と、
各前記連結部材に配置され、前記中央空間に面する各反応面と、
互いに対向する前記セグメントの間に位置する一対の把持体であって、前記中央空間に面し、且つ間隔をおいた各一対の把持面を有する把持体と、
各前記把持体に配置され、前記反応面と面する第１の一対の接触面と、
を備え、
前記連結部材の調節可能な締付けにより、前記セグメントが一緒に前記中央空間に向かって引き寄せられ、
前記接触面は、前記把持面と前記管継ぎ手とを係合させるために、前記中央空間に向かって引き寄せられる前記セグメント上の前記反応面と相互作用して前記把持体を前記中央空間に移動させる管継ぎ手。
【請求項１５】
請求項１４に記載の管継ぎ手において、前記連結部材は、前記セグメントの端から外側へ延びる一対の突出部を有し、前記突出部は、前記セグメントを互いに調節可能に連結するための固定具を受け入れるように構成され、前記固定具は、前記セグメントの前記弓形面を引き寄せて前記管継ぎ手に係合させるために、調節できるように締付け可能である管継ぎ手。
【請求項１６】
請求項１５に記載の管継ぎ手において、前記反応面は、前記突出部に対して所定の角度をもって配向される管継ぎ手。
【請求項１７】
請求項１６に記載の管継ぎ手において、前記反応面は、３０度〜６０度の角度をもって配向される管継ぎ手。
【請求項１８】
請求項１６に記載の管継ぎ手において、前記反応面は、約４５度の角度をもって配向される管継ぎ手。
【請求項１９】
請求項１６に記載の管継ぎ手において、前記接触面は、凸形状を有する管継ぎ手。
【請求項２０】
請求項１６に記載の管継ぎ手において、前記接触面は、前記突出部に対して所定の角度をもって配向される管継ぎ手。
【請求項２１】
請求項２０に記載の管継ぎ手において、前記接触面は、３０度〜６０度の角度をもって配向される管継ぎ手。
【請求項２２】
請求項２０に記載の管継ぎ手において、前記接触面は、約４５度の角度をもって配向される管継ぎ手。
【請求項２３】
請求項２０に記載の管継ぎ手において、前記接触面は、凸形状を有する管継ぎ手。
【請求項２４】
請求項１４に記載の管継ぎ手において、前記接触面は、前記中央空間から半径方向外向きに突出する管継ぎ手。
【請求項２５】
請求項１４に記載の管継ぎ手において、前記管継ぎ手は、各前記把持体において第２の対の接触面を更に備え、前記第１及び第２の対の接触面は、前記把持体の両端に位置する管継ぎ手。
【請求項２６】
請求項１４に記載の管継ぎ手において、前記管継ぎ手は、前記セグメントの間に挟持されて前記弓形面の間に位置するシール部材を更に備え、前記シール部材は、内側に面するシール面を有し、該シール面は、前記管要素の間に流体密封の結合を形成するために前記管要素と係合可能である管継ぎ手。
【請求項２７】
一対の管要素の端部を一緒に端部と端部とで固定するための管継ぎ手であって、
該管継ぎ手は、
前記管要素を受け入れるための中央空間を囲み、端部と端部とで連結可能な複数のセグメントであって、該セグメントは、間隔をおいた一対の弓形面を有し、前記弓形面は、前記中央空間に面し、前記管要素と係合可能であるセグメントと、
各前記セグメントの両端に配置され、前記セグメントを互いに調節可能に連結するための複数の連結部材であって、前記セグメントを互いに引き寄せて前記管要素と係合させるために、調節できるように締付け可能な連結部材と、
間隔をおいて各前記セグメントの両端に配置され、前記中央空間に面する第１及び第２の反応面と、
前記セグメントの間においてそれらの両端に位置する第１及び第２の把持体であって、各前記把持体は、前記中央空間に面し、且つ間隔をおいた一対の把持面を有し、前記把持面は、前記管要素に係合され、各前記把持体は、間隔をおいた複数の接触面を有し、各前記接触面は、前記セグメントの１つの前記反応面に係合され、各前記把持体は、互いに反対側に位置する端面を有し、前記セグメントは、前記反応面に近接して内側に突出するショルダを有し、前記ショルダは、前記端面に係合され、少なくとも１つの前記端面又は前記ショルダは、前記セグメントが一緒に引き寄せられた際に前記把持体の、前記管要素に実質的に垂直な軸の周りの回転を発生させるように、所定の角度をもって配向される把持体と、
を備え、
前記連結部材の調節可能な締付けにより、前記セグメントが一緒に前記中央空間に向かって引き寄せられ、
前記接触面は、前記把持面と前記管継ぎ手とを係合させるために、前記中央空間に向かって引き寄せられる前記セグメント上の前記反応面と相互作用して前記把持体を半径方向内向きに移動させる管継ぎ手。
【請求項２８】
請求項２７に記載の管継ぎ手において、前記反応面は、前記セグメントの接線方向に沿って延びる管継ぎ手。
【請求項２９】
請求項２７に記載の管継ぎ手において、前記管継ぎ手は、前記セグメントの間に挟持されて前記弓形面の間に位置するシール部材を更に備え、前記シール部材は、内側に面するシール面を有し、該シール面は、前記管要素の間に流体密封の結合を形成するために前記管要素と係合可能である管継ぎ手。
【請求項３０】
請求項２７に記載の管継ぎ手において、前記連結部材は、各前記セグメントの端から外側へ延びる一対の突出部を有し、前記突出部は、前記セグメントを互いに調節可能に連結するための固定具を受け入れるように構成され、前記固定具は、前記セグメントの前記弓形面を引き寄せて前記管継ぎ手に係合させるために、調節できるように締付け可能である管継ぎ手。
【請求項３１】
請求項２７に記載の管継ぎ手において、前記セグメントは、各前記連結部材に近接して所定の角度をもって配向される一対の表面を更に備え、各前記セグメントにおける前記所定の角度をもって配向される表面は、逆の傾斜を有し、１つの前記セグメントにおける前記所定の角度をもって配向される表面は、別の前記セグメントにおける所定の角度をもって配向される表面に面し、前記所定の角度をもって配向される表面は、前記セグメントが一緒に引き寄せられた際に互いに係合し、前記セグメントが互いに対して前記管要素に実質的に垂直な軸の周りを相対的に回転する管継ぎ手。
【請求項３２】
請求項２７に記載の管継ぎ手において、前記把持体は、シール部材を受け入れるチャネルを備え、前記チャネルは、前記把持体の回転の際に前記シール部材と整合するように、前記把持面に対して比較的歪んでいる管継ぎ手。
【請求項３３】
請求項２７に記載の管継ぎ手において、前記端面は、前記把持面に対して所定の角度をもって配向される管継ぎ手。
【請求項３４】
請求項２７に記載の管継ぎ手において、前記ショルダは、前記弓形面に対して所定の角度をもって配向される管継ぎ手。
【請求項３５】
一対の管要素の端部を一緒に端部と端部とで固定するための管継ぎ手であって、
該管継ぎ手は、
前記管要素を受け入れるための中央空間を囲み、端部と端部とで連結可能な複数のセグメントであって、各セグメントは、前記中央空間に面し、且つ間隔をおいた第１及び第２の弓形溝を備えるセグメントと、
各前記セグメントの両端に配置され、前記セグメントを調節可能に互いに連結するための連結部材であって、前記セグメントを互いに引き寄せるために、調節できるように締付け可能である連結部材と、
互いに間隔をおいて各前記セグメントの両端に配置され、前記中央空間に面する第１及び第２の反応面と、
前記セグメントの間においてそれらの両端に位置する第１及び第２の把持体であって、各前記把持体は、前記中央空間に面し、且つ間隔をおいた第１及び第２の弓形溝を備え、各前記把持体は、前記反応面と面する複数の接触面を有し、各前記接触面は、各前記セグメントにおける前記反応面の１つに係合される把持体と、
第１及び第２の保持具であって、各前記保持具は、半径方向内向きに延びる複数の歯を有する環状バンドを備え、各前記環状バンドは、同バンドが半径方向に圧縮される際に前記歯の半径方向への移動を許容するように分離され、前記第１の保持具は、前記セグメント及び前記把持体における前記第１の溝に受け入れられ、前記第２の保持具は、前記セグメント及び前記把持体における前記第２の溝に受け入れられ、前記第１の保持具の前記歯は、前記第２の保持具の歯に対して所定の角度をもって配向されるとともに、前記第２の保持具の前記歯は、前記第１の保持具の歯に対して所定の角度をもって配向される、第１及び第２の保持具と、
を備え、
前記連結部材の調節可能な締付けにより、前記セグメントが一緒に前記中央空間に向かって引き寄せられ、
前記接触面は、前記保持具を圧縮して前記管継ぎ手に係合させるために、前記中央空間に向かって引き寄せられる前記セグメント上の前記反応面と相互作用して前記把持体を半径方向内向きに移動させる管継ぎ手。
【請求項３６】
請求項３５に記載の管継ぎ手において、前記反応面は、前記セグメントの接線方向に沿って延びる管継ぎ手。
【請求項３７】
請求項３５に記載の管継ぎ手において、前記管継ぎ手は、少なくとも１つの前記保持具から半径方向外向きに突出する爪を更に備え、前記爪は、１つの前記溝に係合し、前記爪は、１つの前記保持具により同保持具における前記歯と１つの前記管要素とを係合させるための、半径方向への圧縮を促進する管継ぎ手。
【手続補正２】
【補正対象書類名】明細書
【補正対象項目名】０００６
【補正方法】変更
【補正の内容】
【０００６】
本発明は、一対の管要素の端部を共に端部と端部とで固定するための管継ぎ手に関する。一実施形態において、前記継ぎ手は、前記管要素を受けるための中央空間を囲む端部と端部とで接続可能な複数のセグメントを含む。各セグメントは、間隔をおいて配置される一対の弓形面を備え、前記弓形面は前記中央空間に向き前記管要素と係合可能である。前記セグメントを互いに調節可能な状態で連結するために、連結部材が前記セグメントそれぞれの両端部に配置される。前記連結部材は、前記セグメントを互いに引き寄せ、前記管要素と係合するために、調節できるように締め付け可能である。それぞれの反応面は、互いに向かい合う少なくとも二つの連結部材の上に配置される。前記反応面は前記中央空間の方を向いている。少なくとも一つの把持体が二つの前記セグメントの間に配置される。前記把持体は、間隔をおいて配置される一対の把持面を備える。前記把持面は前記管要素と係合するために前記中央空間の方を向いている。第１の対の接触面は前記把持体上に、前記反応面の方を向いた状態で配置される。前記連結部材の調節可能な締め付けにより、前記継ぎ手セグメントが互いに前記中央空間に向かって引き付けられる。前記把持面を前記管要素と係合するために、前記接触面は前記中央空間に向かって引き寄せられる前記セグメント上の前記反応面と相互作用して前記把持体を前記中央空間内へ移動させる。